(57)【要約】【課題】防塵ガラスを水晶板等の結晶材料に置き換えた場合にも、表示画像のコントラストのばらつきを抑えることができる液晶表示装置を提供すること。【解決手段】入射側の偏光フィルター２５ｅの吸収軸の方向と、正の一軸性の結晶材料で形成された入射側防塵板７４ａの光学軸の方向とが平行であるので、システム光軸ＳＡに平行な状態で入射する光束だけでなく、システム光軸ＳＡに対して傾斜した状態で入射する光束も、偏光フィルター２５ｅや入射側防塵板７４ａの通過に際して入射側防塵板７４ａ等で複屈折作用を受けにくくなると考えられる。よって、入射側防塵板７４ａによって冷却効率を高めつつ、入射側防塵板７４ａの屈折率異方性によって変調量がずれた変調光が射出される現象を抑えることができる。これにより、コントラスト比に関する視野角特性が安定した比較的良好な液晶ライトバルブ２５ａを提供することができる。【選択図】図２
2010152269.tif 000002
【特許請求の範囲】
【請求項１】
液晶デバイスと、前記液晶デバイスの光入射側及び光射出側の少なくとも一方に配置さ
れる防塵板を有する液晶パネルと、
前記防塵板を挟んで前記液晶パネルに対向して配置される偏光フィルターと、を備える
液晶表示装置であって、
前記防塵板は、結晶材料で形成され、
前記偏光フィルターの吸収軸の方向と前記防塵板の光学軸の方向とは平行である、液晶
表示装置。
【請求項２】
前記防塵板は、水晶及びサファイアのいずれか一方で形成される、請求項１に記載の液
晶表示装置。
【請求項３】
前記液晶デバイスは、液晶層を挟持する一対の基板と、前記一対の基板のうち一方の基
板上に形成される表示用電極とを有する、請求項１及び請求項２のいずれか一項に記載の
液晶表示装置。
【請求項４】
前記液晶パネルを挟んで前記偏光フィルターの反対側に配置される偏光フィルターをさ
らに備える、請求項１から請求項３までのいずれか一項に記載の液晶表示装置。
【請求項５】
照明用の光束を射出する照明装置と、
前記照明装置から射出された光束から複数の色光を分離して、前記複数の色光を各色の
光路にそれぞれ導く色分離光学系と、
前記各色の光路上に配置される請求項１から請求項４までのいずれか一項に記載の液晶
表示装置を有し、前記複数の色光を画像情報に応じて変調する光変調部と、
前記各色の光路上に配置される各色の液晶表示装置からの各色の変調光を合成して射出
する光合成光学系と、
前記光合成光学系を経て合成された変調光を投射する投射光学系と、
を備えるプロジェクター。
【請求項６】
前記照明装置は、偏光方向を所定方向に揃えた照明光を射出し、
前記各色の液晶表示装置は、偏光方向が共通の色光を変調し、
前記光合成光学系は、システム光軸を通ってシステム光軸に垂直な軸のまわりに傾斜し
た少なくとも１つのダイクロイックミラーを有し、各色の像光を前記少なくとも１つのダ
イクロイックミラーの波長特性を利用して合成し、
前記光変調部は、前記各色の液晶表示装置として、前記少なくとも１つのダイクロイッ
クミラーで反射される変調光を射出する第１タイプの液晶表示装置と、前記少なくとも１
つのダイクロイックミラーを透過させる変調光を射出する第２タイプの液晶表示装置とを
有し、前記第１タイプの液晶表示装置と前記第２タイプの液晶表示装置とのいずれか一方
と、前記光合成光学系との間に、偏光方向を９０°切り換える波長板を有する、請求項５
に記載のプロジェクター。
【請求項７】
前記色分離光学系は、前記複数の色光として青色光、緑色光、及び赤色光を分離して、
緑色、赤色、及び青色の光路にそれぞれ導き、
前記光変調部は、赤色及び青色の光路上に前記第１タイプの液晶表示装置をそれぞれ有
し、緑色の光路上に前記第２タイプの液晶表示装置を有し、
前記光合成光学系は、前記少なくとも１つのダイクロイックミラーとして、青色光を反
射する第１ダイクロイックミラーと、赤色光を反射する第２ダイクロイックミラーとを有
し、
前記波長板は、緑色用の前記第２タイプの液晶表示装置と前記光合成光学系との間に配
置される、請求項６に記載のプロジェクター。
【発明の詳細な説明】
【技術分野】
【０００１】
本発明は、画像形成用の液晶表示装置、及び、かかる液晶表示装置を組み込んだプロジ
ェクターに関する。
【背景技術】
【０００２】
プロジェクター等に組み込まれる液晶表示装置として、液晶パネルと入射偏光板と射出
偏光板とで構成されるものが存在する。このような液晶表示装置において、例えば光入射
側に配置される防塵ガラスと光射出側に配置される防塵ガラスとを水晶板からなるものと
し、水晶板の光学軸を入射面に垂直な方向に設定することが開示されている（特許文献１
参照）。同様に、光入射側に配置される防塵ガラスと光射出側に配置される防塵ガラスと
を水晶板からなるものとし、水晶板の光学軸（ｃ軸）を送風ファンによる空気の流れ方向
に沿ったものとすることも開示されている（特許文献２参照）。
【特許文献１】特開２００６−３５０２９１号公報
【特許文献２】特開２００４−１１７５８０号公報
【発明の開示】
【発明が解決しようとする課題】
【０００３】
しかしながら、本願発明者による検討の結果、防塵ガラスを水晶板等の結晶材料に置き
換える場合、これに対向する偏光板との配置関係を考慮しなければ、表示画像のコントラ
ストが製品ごとにばらついて視野角特性が安定しない場合があることが分かった。
【０００４】
そこで、本発明は、防塵ガラスを水晶板等の結晶材料に置き換えた場合にも、表示画像
のコントラストのばらつきを抑えることができる液晶表示装置を提供することを目的とす
る。
【０００５】
また、本発明は、上記のような液晶表示装置を組み込んだプロジェクターを提供するこ
とを目的とする。
【課題を解決するための手段】
【０００６】
上記課題を解決するため、本発明に係る液晶表示装置は、液晶デバイスと、液晶デバイ
スの光入射側及び光射出側の少なくとも一方に配置される防塵板を有する液晶パネルと、
防塵板を挟んで液晶パネルに対向して配置される偏光フィルターと、を備える液晶表示装
置であって、防塵板は、結晶材料で形成され、偏光フィルターの吸収軸の方向と防塵板の
光学軸の方向とは平行である。なお、防塵板の材料は、例えば正の一軸性結晶や負の一軸
性結晶とすることができる。
【０００７】
上記液晶表示装置では、偏光フィルターの吸収軸の方向と結晶材料で形成された防塵板
の光学軸の方向とが平行であるので、システム光軸に平行な状態で入射する光束だけでな
く、システム光軸に対して傾斜した状態で入射する光束も、偏光フィルターや防塵板の通
過に際して防塵板等で複屈折作用を受けにくくなると考えられる。よって、結晶材料で形
成された防塵板によって冷却効率を高めつつ、防塵板が厚み誤差を有していても防塵板の
屈折率異方性によって変調量がずれた変調光が射出される現象を抑えることができると考
えられる。これにより、様々な入射角の光束に対して劣化の少ない変調が行われた変調光
を得ることができるので、コントラスト比に関する視野角特性が安定した比較的良好な液
晶表示装置を提供することができる。
【０００８】
また、本発明の具体的な態様又は側面によれば、上記液晶表示装置において、防塵板が
、水晶及びサファイアのいずれか一方で形成される。この場合、防塵板による光量損失を
抑えつつ液晶デバイスを確実に冷却することができる。
【０００９】
また、本発明の別の態様では、液晶デバイスが、液晶層を挟持する一対の基板と、一対
の基板のうち一方の基板上に形成される表示用電極とを有する。
【００１０】
また、本発明のさらに別の態様では、液晶パネルを挟んで偏光フィルターの反対側に配
置される偏光フィルターをさらに備える。この場合、液晶パネルは、透過型の光変調装置
であり、光入射側の偏光フィルターによって、液晶パネルに入射する照明光の偏光方向が
調整されるとともに、光射出側の偏光フィルターによって、液晶パネルから射出される光
から所定の偏光方向の変調光が取り出される。
【００１１】
上記課題を解決するため、本発明に係るプロジェクターは、照明用の光束を射出する照
明装置と、照明装置から射出された光束から複数の色光を分離して、複数の色光を各色の
光路にそれぞれ導く色分離光学系と、各色の光路上に配置される上述の液晶表示装置を有
し、複数の色光を画像情報に応じて変調する光変調部と、各色の光路上に配置される各色
の液晶表示装置からの各色の変調光を合成して射出する光合成光学系と、光合成光学系を
経て合成された変調光を投射する投射光学系とを備える。
【００１２】
上記プロジェクターでは、上述した本願の液晶表示装置を有する光変調部を備えており
、液晶表示装置の温度上昇を抑えつつコントラスト比についての視野角特性を良好なもの
とできるので、高品位の画像を投射することができる。
【００１３】
また、本発明の具体的な態様では、上記プロジェクターにおいて、照明装置は、偏光方
向を所定方向に揃えた照明光を射出し、各色の液晶表示装置は、偏光方向が共通の色光を
変調し、光合成光学系は、システム光軸を通ってシステム光軸に垂直な軸のまわりに傾斜
した少なくとも１つのダイクロイックミラーを有し、各色の像光を少なくとも１つのダイ
クロイックミラーの波長特性を利用して合成し、光変調部は、各色の液晶表示装置として
、上記少なくとも１つのダイクロイックミラーで反射される変調光を射出する第１タイプ
の液晶表示装置と、上記少なくとも１つのダイクロイックミラーを透過させる変調光を射
出する第２タイプの液晶表示装置とを有し、第１タイプの液晶表示装置と第２タイプの液
晶表示装置とのいずれか一方と、光合成光学系との間に、偏光方向を９０°切り換える波
長板を有する。この場合、各色の液晶表示装置に入射させる偏光を揃えることで、すべて
の光路で偏光フィルター、防塵板等の特性の共通化を図ることができるとともに、特定色
の光路に選択的に配置される波長板によってダイクロイックミラーを利用した変調光の合
成を効率的なものとできる。
【００１４】
また、本発明の別の態様によれば、色分離光学系が、複数の色光として青色光、緑色光
、及び赤色光を分離して、緑色、赤色、及び青色の光路にそれぞれ導き、光変調部が、赤
色及び青色の光路上に第１タイプの液晶表示装置をそれぞれ有し、緑色の光路上に第２タ
イプの液晶表示装置を有し、光合成光学系が、少なくとも１つのダイクロイックミラーと
して、青色光を反射する第１ダイクロイックミラーと、赤色光を反射する第２ダイクロイ
ックミラーとを有し、波長板が、緑色用の第２タイプの液晶表示装置と光合成光学系との
間に配置される。この場合、緑色光を第１及び第２ダイクロイックミラーを通過させ、赤
色光及び青色光を第１及び第２ダイクロイックミラーで反射させることになり、効率のよ
い光合成が可能になる。
【発明を実施するための最良の形態】
【００１５】
〔第１実施形態〕
図１は、本発明に係る第１実施形態の液晶表示装置を組み込んだプロジェクターの光学
系の構成を説明する概念図である。
【００１６】
本プロジェクター１０は、光源光を発生する光源装置２１と、光源装置２１からの光源
光を青緑赤の３色に分離する色分離光学系２３と、色分離光学系２３から射出された各色
の照明光によって照明される光変調部２５と、光変調部２５から射出された各色の像光を
合成するクロスダイクロイックプリズム２７と、クロスダイクロイックプリズム２７を経
た像光をスクリーン（不図示）に投射する投射レンズ２９とを備える。
【００１７】
以上のプロジェクター１０において、光源装置２１は、光源ランプ２１ａと、凹レンズ
２１ｂと、一対のレンズアレイ２１ｄ，２１ｅと、偏光変換部材２１ｇと、重畳レンズ２
１ｉとを備える。このうち、光源ランプ２１ａは、例えば高圧水銀ランプ等であるランプ
本体２２ａと、光源光を回収して前方に射出させる凹面鏡２２ｂとを備える。凹レンズ２
１ｂは、光源ランプ２１ａからの光源光を平行化する役割を有するが、例えば凹面鏡２２
ｂが放物面鏡である場合には、省略することもできる。一対のレンズアレイ２１ｄ，２１
ｅは、マトリクス状に配置された複数の要素レンズからなり、これらの要素レンズによっ
て凹レンズ２１ｂを経た光源ランプ２１ａからの光源光を分割して個別に集光・発散させ
る。偏光変換部材２１ｇは、詳細は省略するが、ＰＢＳ及びミラーを組み込んだプリズム
アレイと、当該プリズムアレイに設けた射出面上にストライプ状に貼り付けられる波長板
アレイとを備える。この偏光変換部材２１ｇは、レンズアレイ２１ｅから射出した光源光
を例えば図１の紙面に水平（より具体的には、後述するクロスダイクロイックプリズム２
７の第１ダイクロミラー２７ａと第２ダイクロミラー２７ｂの交線に垂直）な第１偏光方
向の直線偏光のみに変換して次段光学系に供給する。重畳レンズ２１ｉは、偏光変換部材
２１ｇを経た照明光を全体として適宜収束させることにより、光変調部２５に設けた各色
の液晶ライトバルブ２５ａ，２５ｂ，２５ｃに対する重畳照明を可能にする。つまり、両
レンズアレイ２１ｄ，２１ｅと重畳レンズ２１ｉとを経た照明光は、以下に詳述する色分
離光学系２３を通って、光変調部２５に設けられた各色の液晶パネル２６ａ，２６ｂ，２
６ｃを均一に重畳照明する。
【００１８】
色分離光学系２３は、第１及び第２ダイクロイックミラー２３ａ，２３ｂと、フィール
ドレンズ２３ｆ，２３ｇ，２３ｈと、反射ミラー２３ｊ，２３ｍ，２３ｎ，２３ｏとを備
え、光源装置２１とともに照明装置を構成する。ここで、第１ダイクロイックミラー２３
ａは、青緑赤の３色のうち例えば青（Ｂ）色を透過させ、緑（Ｇ）及び赤（Ｒ）色を反射
する。また、第２ダイクロイックミラー２３ｂは、入射した緑赤の２色のうち例えば緑（
Ｇ）色を反射し、赤（Ｒ）色を透過させる。これにより、光源光を構成するＢ光、Ｇ光、
及びＲ光は、第１、第２、及び第３光路ＯＰ１，ＯＰ２，ＯＰ３にそれぞれ導かれ、異な
る照明対象にそれぞれ入射する。具体的に説明すると、光源装置２１からの光源光は、反
射ミラー２３ｊで光路を折り曲げられて第１ダイクロイックミラー２３ａに入射する。こ
の第１ダイクロイックミラー２３ａを通過したＢ光は、反射ミラー２３ｍを経て、液晶ラ
イトバルブ２５ａに対向するフィールドレンズ２３ｆに入射する。また、第１ダイクロイ
ックミラー２３ａで反射されて第２ダイクロイックミラー２３ｂでさらに反射されたＧ光
は、液晶ライトバルブ２５ｂに対向するフィールドレンズ２３ｇに入射する。さらに、第
２ダイクロイックミラー２３ｂを通過したＲ光は、レンズＬＬ１，ＬＬ２及び反射ミラー
２３ｎ，２３ｏを経て、液晶ライトバルブ２５ｃに対向するフィールドレンズ２３ｈに入
射する。なお、各フィールドレンズ２３ｆ，２３ｇ，２３ｈは、各液晶ライトバルブ２５
ａ，２５ｂ，２５ｃに入射する照明光の入射角度を調節する機能を有する。レンズＬＬ１
，ＬＬ２及びフィールドレンズ２３ｈは、リレー光学系を構成している。このリレー光学
系は、第１レンズＬＬ１の像を、第２レンズＬＬ２を介してほぼそのままフィールドレン
ズ２３ｈに伝達する機能を有する。
【００１９】
光変調部２５は、上記した各色用の３つの光路ＯＰ１，ＯＰ２，ＯＰ３に対応して、３
つの液晶ライトバルブ２５ａ，２５ｂ，２５ｃを備える。各液晶ライトバルブ２５ａ，２
５ｂ，２５ｃは、入射した照明光の強度の空間分布を変調する非発光型の光変調装置であ
る。
【００２０】
ここで、第１光路ＯＰ１に配置されたＢ色用の液晶ライトバルブ２５ａは、液晶表示装
置を具体化したものであり、Ｂ光によって照明される液晶パネル２６ａと、液晶パネル２
６ａの入射側に配置される偏光フィルター２５ｅと、液晶パネル２６ａの射出側に配置さ
れる偏光フィルター２５ｈとを備える。この液晶ライトバルブ２５ａは、色分離光学系２
３に設けたフィールドレンズ２３ｆの後段に配置されており、第１ダイクロイックミラー
２３ａを透過したＢ光によって均一に照明される。液晶ライトバルブ２５ａにおいて、偏
光フィルター２５ｅは、入射したＢ光について、紙面に平行な第１偏光方向の直線偏光を
選択的に透過させて液晶パネル２６ａに導く。ここで、第１偏光方向は、上述のようにク
ロスダイクロイックプリズム２７の第１ダイクロミラー２７ａと第２ダイクロミラー２７
ｂとの交線に垂直な方向（後述するＸ軸方向）を意味する。液晶パネル２６ａは、これに
入射した第１偏光方向の直線偏光を画像信号に応じて例えば部分的に紙面に垂直な第２偏
光方向の直線偏光に変換する。ここで、第２偏光方向は、クロスダイクロイックプリズム
２７の第１ダイクロミラー２７ａと第２ダイクロミラー２７ｂとの交線に平行な方向（後
述するＹ軸方向）を意味する。偏光フィルター２５ｈは、液晶パネル２６ａを経て変調さ
れた第２偏光方向の直線偏光のみを選択的に透過させる。
【００２１】
第２光路ＯＰ２に配置されたＧ色用の液晶ライトバルブ２５ｂは、液晶表示装置を具体
化したものであり、Ｇ光によって照明される液晶パネル２６ｂと、液晶パネル２６ｂの入
射側に配置される偏光フィルター２５ｆと、液晶パネル２６ａの射出側に配置される偏光
フィルター２５ｉと、１／２波長板２５ｐとを備える。この液晶ライトバルブ２５ｂは、
色分離光学系２３に設けたフィールドレンズ２３ｇの後段に配置されており、第２ダイク
ロイックミラー２３ｂで反射されたＧ光によって均一に照明される。液晶ライトバルブ２
５ｂにおいて、偏光フィルター２５ｆは、入射したＧ光について、紙面に平行な第１偏光
方向の直線偏光を選択的に透過させて液晶パネル２６ｂに導く。液晶パネル２６ｂは、こ
れに入射した第１偏光方向の直線偏光を画像信号に応じて例えば部分的に紙面に垂直な第
２偏光方向の直線偏光に変換する。偏光フィルター２５ｉは、液晶パネル２６ｂを経て変
調された第２偏光方向の直線偏光のみを選択的に透過させる。１／２波長板２５ｐは、偏
光フィルター２５ｉを透過した第２偏光方向の直線偏光の偏光方向を９０°回転させて紙
面に平行な第１偏光方向の直線偏光に切り換える。
【００２２】
第３光路ＯＰ３に配置されたＲ色用の液晶ライトバルブ２５ｃは、液晶表示装置を具体
化したものであり、Ｒ光によって照明される液晶パネル２６ｃと、液晶パネル２６ｃの入
射側に配置される偏光フィルター２５ｇと、液晶パネル２６ａの射出側に配置される偏光
フィルター２５ｊとを備える。この液晶ライトバルブ２５ｃは、色分離光学系２３に設け
たフィールドレンズ２３ｈの後段に配置されており、第２ダイクロイックミラー２３ｂを
透過したＲ光によって均一に照明される。液晶ライトバルブ２５ｃにおいて、偏光フィル
ター２５ｇは、入射したＲ光について、紙面に平行な第１偏光方向の直線偏光を選択的に
透過させて液晶パネル２６ｃに導く。液晶パネル２６ｃは、これに入射した第１偏光方向
の直線偏光を画像信号に応じて例えば部分的に紙面に垂直な第２偏光方向の直線偏光に変
換する。偏光フィルター２５ｊは、液晶パネル２６ｃを経て変調された第２偏光方向の直
線偏光のみを選択的に透過させる。
【００２３】
図２は、図１に示すプロジェクター１０の光変調部２５を構成するＢ光用の液晶ライト
バルブ２５ａの構造を説明する拡大断面図である。なお、図２において、Ｚ軸方向は、シ
ステム光軸ＳＡが延びる方向に対応する。また、Ｘ軸方向は、クロスダイクロイックプリ
ズム２７中の第１及び第２ダイクロミラー２７ａ，２７ｂの交線に垂直な方向に相当し、
Ｙ軸方向は、第１及び第２ダイクロミラー２７ａ，２７ｂの交線に平行な方向に相当する
ものとする。
【００２４】
液晶ライトバルブ２５ａにおいて、入射側に設けた偏光フィルター２５ｅは、基板Ｓ１
上に樹脂製の第１偏光フィルムＰＦ１を接着したものであり、入出射面の法線がそれぞれ
システム光軸ＳＡすなわちＺ軸に平行になっている。偏光フィルター２５ｅは、偏光素子
としての第１偏光フィルムＰＦ１によって、Ｘ方向に沿った第１偏光方向のＰ偏光のみを
通過させる。つまり、偏光フィルター２５ｅの吸収軸はＹ方向に延びている。ここで、第
１偏光フィルムＰＦ１を支持する基板Ｓ１は、例えば石英ガラス製であり、Ｘ方向に沿っ
た第１偏光方向のＰ偏光をそのままシステム光軸ＳＡに沿って射出させる。なお、偏光フ
ィルター２５ｅの入射面と射出面とには、反射防止膜ＡＲ１が設けられており、迷光の発
生を防止している。
【００２５】
一方、射出側に設けた偏光フィルター２５ｈは、基板Ｓ２上に樹脂製の第２偏光フィル
ムＰＦ２を接着したものであり、入出射面の法線がそれぞれシステム光軸ＳＡすなわちＺ
軸に平行になっている。偏光フィルター２５ｈは、偏光素子としての第２偏光フィルムＰ
Ｆ２によってＹ方向に沿った第２偏光方向のＳ偏光のみを通過させ、Ｐ偏光（非変調光）
を吸収等により排除する。つまり、偏光フィルター２５ｈの吸収軸はＸ方向に延びている
。ここで、第２偏光フィルムＰＦ２を支持する基板Ｓ２は、例えば石英ガラス製であり、
Ｙ方向に沿った第２偏光方向のＳ偏光をそのままシステム光軸ＳＡに沿って射出させる。
なお、偏光フィルター２５ｈの入射面と射出面とには、反射防止膜ＡＲ２が設けられてお
り、迷光の発生を防止している。
【００２６】
以上では、第２偏光フィルムＰＦ２の支持用の基板Ｓ２を石英ガラス製としたが、水晶
製とすることにより、第１偏光フィルムＰＦ１よりも比較的加熱されやすい状態にある第
２偏光フィルムＰＦ２を効率良く冷却することができる。
【００２７】
以上の説明から明らかなように、偏光フィルター２５ｅを構成する第１偏光フィルムＰ
Ｆ１と、偏光フィルター２５ｈを構成する第２偏光フィルムＰＦ２とは、クロスニコルを
構成するように配置されている。これら第１及び第２偏光フィルムＰＦ１，ＰＦ２の間に
挟まれた液晶パネル２６ａは、第１偏光フィルムＰＦ１側から入射した入射光ＬＩを入力
信号に応じて画素単位で部分的にＰ偏光からＳ偏光に変化させ、変化後の変調光を射出光
ＬＯとして第２偏光フィルムＰＦ２側に射出する。このように、液晶ライトバルブ２５ａ
から射出される変調光は、後述するクロスダイクロイックプリズム２７での光合成に適す
るＳ偏光状態の射出光ＬＯとなっている。
【００２８】
両偏光フィルター２５ｅ，２５ｈ間の液晶パネル２６ａは、垂直配向モードで動作する
液晶（すなわち垂直配向型の液晶）で構成される液晶層７１を挟んで、入射側に第１基板
７２と、射出側に第２基板７３とを備える。これらの基板７２，７３は、ともに平板状で
あり、偏光フィルター２５ｅ等と同様に、入出射面の法線がシステム光軸ＳＡすなわちＺ
軸に平行になるように配置されている。第１基板７２の外側には、光透過性の入射側防塵
板７４ａが貼り付けられており、第２基板７３の外側には、光透過性の射出側防塵板７４
ｂが貼り付けられている。これらの防塵板７４ａ，７４ｂは、ともに平板状であり、偏光
フィルター２５ｅ等と同様に、入出射面の法線がシステム光軸ＳＡすなわちＺ軸に平行に
なるように配置されている。この液晶パネル２６ａの入射側防塵板７４ａ側の入射面と、
射出側防塵板７４ｂ側の射出面とには、反射防止膜ＡＲ３が設けられており、迷光の発生
を防止している。
【００２９】
入射側防塵板７４ａは、正の一軸性の結晶材料、具体的には水晶製の平板であり、射出
側防塵板７４ｂは、等方性の無機材料、具体的には石英ガラス製の平板である。入射側防
塵板７４ａは、これを形成する水晶の光学軸がＹ軸方向に延びるように切り出されたもの
である。つまり、入射側防塵板７４ａの光学軸は、偏光フィルター２５ｅの吸収軸に対し
て平行な状態になっている。
【００３０】
図３は、入射側防塵板７４ａの機能を説明する図である。図３（Ａ）に示すように、入
射側防塵板７４ａを構成する水晶は、Ｙ方向に延びる光学軸ＯＡの方向に関する屈折率が
相対的に大きな正の一軸性の屈折率楕円体ＲＩＥ１に対応する光学的異方性を有する。具
体的な大小関係で説明すると、図中の各方位ＸＹＺに関する屈折率をＮＸ，ＮＹ，ＮＺと
して、ＮＸ＝ＮＺ＜ＮＹなる関係が成り立つ。一方、偏光フィルター２５ｅの第１偏光フ
ィルムＰＦ１は、例えば染料を吸着させて染色したＰＶＡ（ポリビニールアルコール）を
ＴＡＣ（トリアセチルセルロース）上に貼り付けた延伸フィルムであり、その延伸方向に
吸収係数を持たせている。第１偏光フィルムＰＦ１が吸収係数を有するということは、屈
折率に虚数部分が存在するが（ＮＸ＝ＮＺ＝ｎ，ＮＹ＝ｎ＋ｉｎ'、ここでｎ，ｎ'は屈折
率であり、透過軸方向は１００％光が透過する理想的な場合を考える）、入射側防塵板７
４ａと同様に屈折率楕円体として扱うことができることを意味するので、第１偏光フィル
ムＰＦ１すなわち偏光フィルター２５ｅは、例えば図３（Ｂ）に示すような正の一軸性の
屈折率楕円体ＲＩＥ２と同様に振る舞う。よって、液晶ライトバルブ２５ａに入射する入
射光ＬＩを考えた場合、この入射光ＬＩがシステム光軸ＳＡすなわちＺ軸に平行であれば
、図３（Ｃ）に示すように、偏光フィルター２５ｅと入射側防塵板７４ａとを合成しても
、Ｙ軸方向に沿った光学軸が見かけ上維持される。つまり、入射側防塵板７４ａが入射光
ＬＩの位相状態に作用を及ぼして偏光方向を変化させるといったことは起こらず、同様に
偏光フィルター２５ｅが偏光方向を変化させるといったことも起こらない。なお、液晶ラ
イトバルブ２５ａに入射する入射光ＬＩは、システム光軸ＳＡすなわちＺ軸に対して傾い
て入射する成分を有し、このような斜入射成分にとっても、偏光フィルター２５ｅの屈折
率楕円体ＲＩＥ２の光学軸ＯＡと、入射側防塵板７４ａの屈折率楕円体ＲＩＥ１の光学軸
ＯＡとは、互いに平行に維持される。よって、斜入射成分に関しても、入射側防塵板７４
ａや偏光フィルター２５ｅが入射光ＬＩの位相状態に作用を及ぼして偏光方向を変化させ
るといったことは起こらず、入射側防塵板７４ａの屈折率異方性によって変調量がずれた
変調光が液晶ライトバルブ２５ａから射出される現象を抑えることができると考えられる
。
【００３１】
図２に戻って、液晶パネル２６ａにおいて、第１基板７２の液晶層７１側の面上には、
透明な共通電極７５が設けられており、その上には、例えば配向膜７６が形成されている
。一方、第２基板７３の液晶層７１側の面上には、マトリクス状に配置された表示用電極
としての複数の透明画素電極７７と、各透明画素電極７７に電気的に接続可能な配線（不
図示）と、透明画素電極７７及び配線の間に介在する薄膜トランジスタ（不図示）とが設
けられており、その上には、例えば配向膜７８が形成されている。ここで、第１及び第２
基板７２，７３と、これらに挟まれた液晶層７１と、電極７５，７７とは、光能動素子、
すなわち入射光ＬＩの偏光状態を入力信号に応じて変調するための液晶デバイス８０とし
て機能する部分である。この液晶デバイス８０を構成する各画素部分ＰＰは、１つの画素
電極７７と、共通電極７５の一部と、両配向膜７６，７８の一部と、液晶層７１の一部と
を含む。なお、第１基板７２と共通電極７５との間には、各画素部分ＰＰを区分するよう
に格子状のブラックマトリクス７９が設けられている。
【００３２】
以上の液晶デバイス８０において、配向膜７６，７８は、電界の存在しない状態で、液
晶層７１を構成する液晶性化合物をシステム光軸ＳＡすなわちＺ軸に略平行な状態に配列
させる役割を有する。ただし、Ｚ軸に沿った方向に適度な電界を形成した場合、液晶層７
１を構成する液晶性化合物は、システム光軸ＳＡすなわちＺ軸に略平行な状態から例えば
ＸＹ面内の所定方位に向けて傾けられた状態とされる。これにより、一対の偏光フィルム
ＰＦ１，ＰＦ２の間に挟まれた液晶層７１をノーマリブラックモードで動作させることに
なり、電圧非印加のオフ状態で最大遮光状態（光オフ状態）を確保することができる。つ
まり、液晶パネル２６ａは、光オフ状態の黒表示時に、Ｐ偏光をそのまま変化させないで
通過させる。また、液晶パネル２６ａは、光オン状態の白表示時に、Ｐ偏光をＳ偏光に切
替えて通過させる。
【００３３】
図４は、液晶ライトバルブ２５ａ中において入射側防塵板７４ａの厚みを変化させた場
合のコントラスト比の変化を説明するグラフである。なお、この例では、入射側防塵板７
４ａを形成する水晶板の厚みｔの調整範囲を１０４０〜１１６０μｍとした。グラフから
も明らかなように、入射側防塵板７４ａの厚みを変化させても、コントラスト比はほとん
ど変化しないことがわかる。つまり、入射側防塵板７４ａの厚みの誤差がコントラストに
影響することを防止できるとともに、システム光軸ＳＡに垂直入射光だけでなくこれに対
して傾いた光束に対しても劣化の少ない変調光が得られ、コントラスト比に関する視野角
特性が安定した比較的良好な液晶表示装置を提供することができることがわかる。
【００３４】
以上では、図２等に基づいてＢ光用の液晶ライトバルブ２５ａの構造及び機能を説明し
たが、Ｒ光用の液晶ライトバルブ２５ｃも、Ｂ光用の液晶ライトバルブ２５ａと同様の構
造及び機能を有する。つまり、図２等に示すように、偏光フィルター２５ｇのうち第１偏
光フィルムＰＦ１によって、Ｐ偏光のみを選択的に透過させ、液晶パネル２６ｃの変調に
よってＰ偏光からＳ偏光に変化させ、偏光フィルター２５ｊによって、液晶ライトバルブ
２５ｃから射出される変調光をＳ偏光状態の射出光ＬＯとすることができる。
【００３５】
Ｇ光用の液晶ライトバルブ２５ｂは、図５に示すように、Ｂ光用の液晶ライトバルブ２
５ａ等と基本的に同様の構造及び機能を有するが、光射出側に、１／２波長板２５ｐを追
加した点が異なっている。これにより、偏光フィルター２５ｆのうち第１偏光フィルムＰ
Ｆ１によって、Ｐ偏光のみを選択的に透過させ、液晶パネル２６ｂの変調によってＰ偏光
からＳ偏光に変化させる。さらに、偏光フィルター２５ｉによって、Ｓ偏光状態の変調光
のみを透過させ、１／２波長板２５ｐによって、液晶ライトバルブ２５ｂから射出される
変調光をＰ偏光状態の射出光ＬＯとすることができる。
【００３６】
図１に戻って、クロスダイクロイックプリズム２７は、光合成光学系に相当するもので
あり、４つの直角プリズムを貼り合わせた平面視略正方形状をなし、直角プリズム同士を
貼り合わせた界面には、Ｘ字状に交差する一対のダイクロミラー２７ａ，２７ｂが形成さ
れている。両ダイクロミラー２７ａ，２７ｂは、特性が異なる誘電体多層膜で形成されて
いる。すなわち、一方の第１ダイクロミラー２７ａはＢ光を反射し、他方の第２ダイクロ
ミラー２７ｂはＲ光を反射する。このクロスダイクロイックプリズム２７は、液晶ライト
バルブ２５ａからの変調後のＢ光を第１ダイクロミラー２７ａで反射して進行方向右側に
射出させ、液晶ライトバルブ２５ｂからの変調後のＧ光を第１及び第２ダイクロミラー２
７ａ，２７ｂを介して直進・射出させ、液晶ライトバルブ２５ｃからの変調後のＲ光を第
２ダイクロミラー２７ｂで反射して進行方向左側に射出させる。なお、既に説明したよう
に、第１及び第２ダイクロミラー２７ａ，２７ｂは、紙面に垂直なＳ偏光状態のＢ及びＲ
光を反射し、両ダイクロミラー２７ａ，２７ｂは、紙面に平行なＰ偏光状態のＧ光を透過
させる。これにより、クロスダイクロイックプリズム２７におけるＢＧＲ光の合成効率を
高めることができ、色ムラの発生を抑えることができる。
【００３７】
投射レンズ２９は、投射部又は投射光学系として、クロスダイクロイックプリズム２７
で合成されたカラーの像光を、所望の倍率でスクリーン（不図示）上に投射する。つまり
、各液晶パネル２６ａ〜２６ｃに入力された駆動信号或いは画像信号に対応する所望の倍
率のカラー動画やカラー静止画がスクリーン上に投射される。
【００３８】
上記プロジェクター１０によれば、各色の液晶ライトバルブ２５ａ，２５ｂ，２５ｃに
おいて、入射側の偏光フィルター２５ｅ，２５ｆ，２５ｇの吸収軸の方向と、正の一軸性
の結晶材料で形成された入射側防塵板７４ａの光学軸の方向とが平行であるので、システ
ム光軸ＳＡに平行な状態で入射する光束だけでなく、システム光軸ＳＡに対して傾斜した
状態で入射する光束も、偏光フィルター２５ｅ，２５ｆ，２５ｇや入射側防塵板７４ａの
通過に際して入射側防塵板７４ａ等で複屈折作用を受けにくくなると考えられる。よって
、入射側防塵板７４ａによって冷却効率を高めつつ、入射側防塵板７４ａが厚み誤差を有
していても入射側防塵板７４ａの屈折率異方性によって変調量がずれた変調光が射出され
る現象を抑えることができる。結果的に、様々な入射角の光束に対して劣化の少ない変調
が行われた変調光を得ることができるので、コントラスト比に関する視野角特性が安定し
た比較的良好な液晶ライトバルブ２５ａ，２５ｂ，２５ｃを提供することができる。
【００３９】
〔第２実施形態〕
以下、本発明に係る第２実施形態の変調光学系を組み込んだプロジェクターについて説
明する。第２実施形態のプロジェクターは、第１実施形態のプロジェクターを変形したも
のであり、特に説明しない部分は、第１実施形態と同様である。
【００４０】
図６は、第２実施形態のプロジェクターに組み込まれるＢ光用の液晶ライトバルブ２５
ａの構造を説明する拡大断面図である。この液晶ライトバルブ２５ａの場合、第１基板７
２の外側には、光透過性の入射側防塵板１７４ａが貼り付けられており、第２基板７３の
外側には、光透過性の射出側防塵板１７４ｂが貼り付けられている。これらの防塵板１７
４ａ，１７４ｂは、ともに平板状であり、偏光フィルター２５ｅ等と同様に、入出射面の
法線がシステム光軸ＳＡすなわちＺ軸に平行になるように配置されている。ここで、入射
側防塵板１７４ａは、等方性の無機材料、具体的には石英ガラス製の平板であり、射出側
防塵板１７４ｂは、正の一軸性の結晶材料、具体的には水晶製の平板である。射出側防塵
板１７４ｂは、これを形成する水晶の光学軸がＸ軸方向に延びるように切り出されたもの
である。つまり、射出側防塵板１７４ｂの光学軸は、偏光フィルター２５ｈの吸収軸に対
して平行な状態になっている。
【００４１】
この液晶ライトバルブ２５ａにおいては、射出側の偏光フィルター２５ｈの吸収軸の方
向と、正の一軸性の結晶材料で形成された射出側防塵板１７４ｂの光学軸の方向とが平行
であるので、液晶パネル２６ａを通過する光束は、射出側防塵板１７４ｂ及び偏光フィル
ター２５ｈの通過に際して射出側防塵板１７４ｂ等で実質的な複屈折作用を受けない。よ
って、射出側防塵板１７４ｂによって冷却効率を高めつつ、射出側防塵板１７４ｂの屈折
率異方性によって変調量がずれた変調光が射出される現象を抑えることができる。
【００４２】
なお、詳細な説明を省略するが、本実施形態におけるＲ光用の液晶ライトバルブ２５ｃ
も、Ｂ光用の液晶ライトバルブ２５ａと同様の構造を有する。つまり、射出側防塵板１７
４ｂが正の一軸性の結晶材料で形成されており、その光学軸が偏光フィルター２５ｊの吸
収軸に対して平行に配置される。また、本実施形態におけるＧ光用の液晶ライトバルブ２
５ｂも、Ｂ光用の液晶ライトバルブ２５ａと同様の構造を有する。つまり、射出側防塵板
１７４ｂが正の一軸性の結晶材料で形成されており、その光学軸が偏光フィルター２５ｉ
の吸収軸に対して平行に配置される。ただし、偏光フィルター２５ｉの光射出側には、１
／２波長板２５ｐが追加される。
【００４３】
〔第３実施形態〕
以下、本発明に係る第３実施形態の変調光学系を組み込んだプロジェクターについて説
明する。第３実施形態のプロジェクターは、第１実施形態のプロジェクターを変形したも
のであり、特に説明しない部分は、第１実施形態と同様である。
【００４４】
図７は、第３実施形態のプロジェクターに組み込まれるＢ光用の液晶ライトバルブ２２
５ａの構造を説明する拡大断面図である。この液晶ライトバルブ２２５ａの場合、第１基
板７２の外側に貼り付けられた入射側防塵板２７４ａは、負の一軸性の結晶材料であるサ
ファイアで形成され、このサファイアの光学軸がＹ軸方向に延びるように切り出されたも
のである。つまり、入射側防塵板２７４ａの光学軸は、偏光フィルター２５ｅの吸収軸に
対して平行な状態になっている。一方、射出側防塵板２７４ｂは、等方性の無機材料、具
体的には石英ガラス製の平板である。入射側防塵板２７４ａや射出側防塵板２７４ｂは、
入出射面の法線がシステム光軸ＳＡすなわちＺ軸に平行になるように配置されている。
【００４５】
この液晶ライトバルブ２２５ａにおいては、入射側の偏光フィルター２５ｅの吸収軸の
方向と、負の一軸性の結晶材料で形成された入射側防塵板２７４ａの光学軸の方向とが平
行であるので、液晶パネル２６ａを通過する光束は、偏光フィルター２５ｅ及び入射側防
塵板２７４ａの通過に際して入射側防塵板２７４ａ等で実質的な複屈折作用を受けない。
よって、入射側防塵板２７４ａによって冷却効率を高めつつ、入射側防塵板２７４ａの屈
折率異方性によって変調量がずれた変調光が射出される現象を抑えることができる。
【００４６】
なお、本実施形態におけるＲ光用の液晶ライトバルブ２２５ｃも、Ｂ光用の液晶ライト
バルブ２２５ａと同様の構造を有する。つまり、入射側防塵板２７４ａが負の一軸性の結
晶材料で形成されており、その光学軸が偏光フィルター２５ｇの吸収軸に対して平行に配
置される（図７参照）。また、本実施形態におけるＧ光用の液晶ライトバルブ２２５ｂも
、Ｂ光用の液晶ライトバルブ２２５ａと同様の構造を有する。つまり、入射側防塵板２７
４ａが負一軸性の結晶材料で形成されており、その光学軸が偏光フィルター２５ｆの吸収
軸に対して平行に配置される。ただし、偏光フィルター２５ｉの光射出側には、１／２波
長板２５ｐが追加される（図８参照）。
【００４７】
〔第４実施形態〕
以下、本発明に係る第４実施形態の変調光学系を組み込んだプロジェクターについて説
明する。第４実施形態のプロジェクターは、第３実施形態のプロジェクターを変形したも
のであり、特に説明しない部分は、第３実施形態と同様である。
【００４８】
図９は、第４実施形態のプロジェクターに組み込まれるＢ光用の液晶ライトバルブ２２
５ａの構造を説明する拡大断面図である。この液晶ライトバルブ２２５ａの場合、第１基
板７２の外側には、光透過性の入射側防塵板３７４ａが貼り付けられており、第２基板７
３の外側には、光透過性の射出側防塵板３７４ｂが貼り付けられている。これらの防塵板
３７４ａ，３７４ｂは、ともに平板状であり、偏光フィルター２５ｅ等と同様に、入出射
面の法線がシステム光軸ＳＡすなわちＺ軸に平行になるように配置されている。ここで、
入射側防塵板３７４ａは、等方性の無機材料、具体的には石英ガラス製の平板であり、射
出側防塵板３７４ｂは、負の一軸性の結晶材料、具体的にはサファイア製の平板である。
射出側防塵板３７４ｂは、これを形成するサファイアの光学軸がＸ軸方向に延びるように
切り出されたものである。つまり、射出側防塵板３７４ｂの光学軸は、偏光フィルター２
５ｈの吸収軸に対して平行な状態になっている。
【００４９】
なお、詳細な説明を省略するが、本実施形態におけるＲ光用の液晶ライトバルブ２２５
ｃも、Ｂ光用の液晶ライトバルブ２２５ａと同様の構造を有する。つまり、射出側防塵板
３７４ｂが負の一軸性の結晶材料で形成されており、その光学軸が偏光フィルター２５ｊ
の吸収軸に対して平行に配置される。また、本実施形態におけるＧ光用の液晶ライトバル
ブ２２５ｂも、Ｂ光用の液晶ライトバルブ２２５ａと同様の構造を有する。つまり、射出
側防塵板３７４ｂが負の一軸性の結晶材料で形成されており、その光学軸が偏光フィルタ
ー２５ｉの吸収軸に対して平行に配置される。ただし、偏光フィルター２５ｉの光射出側
には、１／２波長板２５ｐが追加される。
【００５０】
〔第５実施形態〕
以下、第５実施形態の変調光学系を組み込んだプロジェクターについて説明する。第５
実施形態のプロジェクターは、第１〜第４実施形態のプロジェクターを変形したものであ
り、特に説明しない部分は、第１実施形態等と同様である。
【００５１】
第５実施形態のプロジェクターに組み込まれる液晶ライトバルブ２５ａ，２５ｂ，２５
ｃ，２２５ａ，２２５ｂ，２２５ｃは、ツイストネマティックモードで動作する液晶（す
なわちツイストネマティック型の液晶）で構成される液晶層７１を備える。この場合、液
晶層７１中の液晶性化合物の光学軸は、第１基板７２から第２基板７３にかけて徐々にね
じれるように配置される。つまり、第１及び第２基板７２，７３の内側すなわち配向膜７
６，７８に隣接して液晶層７１の両端側に配置される一組の液晶性化合物の光学軸は、Ｘ
Ｙ平面上に投影した場合、互いに例えば９０°のツイスト角をなす。これにより、一対の
偏光フィルムＰＦ１，ＰＦ２の間に挟まれた液晶層７１をノーマリホワイトモードで動作
させることになり、電圧非印加のオフ状態で最大透過状態（光オン状態）を確保すること
ができる。つまり、液晶パネル２６ａは、光オン状態の白表示時に、Ｓ偏光をＰ偏光に切
替えて通過させるとともに、光オフ状態の黒表示時に、Ｐ偏光をそのまま変化させないで
通過させる。
【００５２】
なお、例えば第１実施形態のプロジェクター１０を変更したものでは、偏光フィルター
２５ｅ，２５ｆ，２５ｇの吸収軸の方向と、正の一軸性の結晶材料である入射側防塵板７
４ａの光学軸の方向とが平行である点に変更はない。また、第２実施形態のプロジェクタ
ー１０を変更したものでは、偏光フィルター２５ｈ，２５ｉ，２５ｊの吸収軸の方向と、
正の一軸性の結晶である射出側防塵板１７４ｂの光学軸の方向とが平行である点に変更は
ない。同様に、第３実施形態のプロジェクター１０を変更したものでは、偏光フィルター
２５ｅ，２５ｆ，２５ｇの吸収軸の方向と、負の一軸性の結晶材料である入射側防塵板２
７４ａの光学軸の方向とが平行である点に変更はない。また、第４実施形態のプロジェク
ター１０を変更したものでは、偏光フィルター２５ｈ，２５ｉ，２５ｊの吸収軸の方向と
、負の一軸性の結晶である射出側防塵板３７４ｂの光学軸の方向とが平行である点に変更
はない。
【００５３】
図１０は、第１実施形態をツイストネマティック型に変更した液晶ライトバルブ２５ａ
中において入射側防塵板７４ａの厚みを変化させた場合のコントラスト比の変化を説明す
るグラフである。グラフからも明らかなように、入射側防塵板７４ａの厚みを変化させて
も、コントラスト比はほとんど変化しないことがわかる。つまり、入射側防塵板７４ａの
厚みの誤差がコントラストに影響することを防止できるとともに、システム光軸ＳＡに垂
直入射光だけでなくこれに対して傾いた光束に対しても劣化の少ない変調光が得られ、コ
ントラスト比に関する視野角特性が安定した比較的良好な液晶表示装置を提供することが
できることがわかる。
【００５４】
以上実施形態に即して本発明を説明したが、本発明は、上記の実施形態に限られるもの
ではなく、その要旨を逸脱しない範囲において種々の態様において実施することが可能で
あり、例えば次のような変形も可能である。
【００５５】
すなわち、上記第１及び第３実施形態では、入射側防塵板７４ａを正又は負の一軸性結
晶とし、上記第２及び第４実施形態では、射出側防塵板７４ｂを正又は負の一軸性結晶と
したが、入射側防塵板及び射出側防塵板の双方を正又は負の一軸性結晶とすることができ
る。
【００５６】
また、上記第１〜第５実施形態では、光学補償板を組み込んでいないが、液晶ライトバ
ルブ２５ａ，２５ｂ，２５ｃにおいて、例えば偏光フィルター２５ｅ，２５ｆ，２５ｇと
、液晶パネル２６ａ，２６ｂ，２６ｃとの間に結晶材料からなり位相差を付与することが
できる光学補償板を挿入することができる。
【００５７】
また、上記実施形態のプロジェクター１０では、光源装置２１を、光源ランプ２１ａ、
一対のレンズアレイ２１ｄ，２１ｅ、偏光変換部材２１ｇ、及び重畳レンズ２１ｉで構成
したが、レンズアレイ２１ｄ，２１ｅ等については省略することができ、光源ランプ２１
ａも、ＬＥＤ等の別光源に置き換えることができる。
【００５８】
上記実施形態では、３つの液晶ライトバルブ２５ａ〜２５ｃを用いたプロジェクター１
０の例のみを挙げたが、本発明は、２つの液晶ライトバルブを用いたプロジェクター、或
いは、４つ以上の液晶ライトバルブを用いたプロジェクターにも適用可能である。
【００５９】
上記実施形態では、スクリーンを観察する方向から投射を行なうフロントタイプのプロ
ジェクターの例のみを挙げたが、本発明は、スクリーンを観察する方向とは反対側から投
射を行なうリアタイプのプロジェクターにも適用可能である。
【図面の簡単な説明】
【００６０】
【図１】第１実施形態の液晶表示装置を組み込んだプロジェクターの光学系を説明する図である。
【図２】図１のプロジェクターを構成するＢ光用の液晶ライトバルブの拡大断面図である。
【図３】（Ａ）〜（Ｃ）は、液晶ライトバルブに組み込まれた防塵板の働きを説明する図である。
【図４】入射側防塵板の厚みを変化させた場合のコントラスト比の変化を説明するグラフである。
【図５】図１のプロジェクターを構成するＧ光用の液晶ライトバルブの拡大断面図である。
【図６】第２実施形態におけるＢ光用の液晶ライトバルブの拡大断面図である。
【図７】第３実施形態におけるＢ光用の液晶ライトバルブの拡大断面図である。
【図８】第３実施形態におけるＧ光用の液晶ライトバルブの拡大断面図である。
【図９】第４実施形態におけるＢ光用の液晶ライトバルブの拡大断面図である。
【図１０】第５実施形態において、入射側防塵板の厚みとコントラスト比との関係を説明するグラフである。
【符号の説明】
【００６１】
ＬＩ…入射光、  ＬＯ…射出光、  ＯＡ…光学軸、  ＯＰ１，ＯＰ２，ＯＰ３…光路、  
ＰＦ１，ＰＦ２…偏光フィルム、  Ｓ１…基板、  Ｓ２…基板、  ＳＡ…システム光軸、
１０…プロジェクター、  ２１…光源装置、  ２１ｇ…偏光変換部材、  ２１ｉ…重畳
レンズ、  ２３…色分離光学系、  ２３ａ，２３ｂ…ダイクロイックミラー、  ２５…光
変調部、  ２５ａ，２５ｂ，２５ｃ…液晶ライトバルブ、  ２５ｅ，２５ｆ，２５ｇ…偏
光フィルター、  ２５ｈ，２５ｉ，２５ｊ…偏光フィルター、  ２５ｐ…波長板、  ２６
ａ，２６ｂ，２６ｃ…液晶パネル、  ２７…クロスダイクロイックプリズム、  ２７ａ，
２７ｂ…ダイクロミラー、  ２９…投射レンズ、  ７１…液晶層、  ７２，７３…基板、
７４ａ…入射側防塵板、  ７４ｂ…射出側防塵板、  ７５，７７…電極、  ７６，７８
…配向膜、  ７７…透明画素電極、  ８０…液晶デバイス
【図１】
2010152269.tif 000003
【図２】
2010152269.tif 000004
【図３】
2010152269.tif 000005
【図４】
2010152269.tif 000006
【図５】
2010152269.tif 000007
【図６】
2010152269.tif 000008
【図７】
2010152269.tif 000009
【図８】
2010152269.tif 000010
【図９】
2010152269.tif 000011
【図１０】
2010152269.tif 000012